(57)【要約】【課題】舗装されている地面であっても、その舗装面を保護しながら容易にアンカを埋設できるようにする。【解決手段】地表面がアスファルトやコンクリート、あるいはブロック等の舗装材で舗装されている地面に軸棒に螺旋状の掘削刃を有するアンカを埋設するときのアンカの埋設方法であって、先端部に超硬チップを有する工具を前記アンカの設置される舗装されている地面の所定箇所に押圧しながら回転させて所定深さの下穴をあけ、そのあけられた下穴に前記アンカを埋設する。【選択図】      図２
2004183445.tif 000002
【特許請求の範囲】
【請求項１】
地表面がアスファルトやコンクリート、あるいはブロック等の舗装材で舗装されている地面に軸棒に螺旋状の掘削刃を有するアンカを埋設するときのアンカの埋設方法であって、
先端部に超硬チップを有する工具を前記アンカの設置される舗装されている地面の所定箇所に押圧しながら回転させて所定深さの下穴をあけ、そのあけられた下穴に前記アンカを埋設することを特徴とするアンカの埋設方法。
【請求項２】
請求項１に記載のアンカの埋設方法において、下穴には、アンカを埋設する前に粒状の骨材が投入されることを特徴とするアンカの埋設方法。
【請求項３】
請求項２に記載のアンカの埋設方法において、粒状の骨材は、舗装材の層よりも下の位置まで投入することを特徴とするアンカの埋設方法。
【発明の詳細な説明】
【０００１】
【発明の属する技術分野】
本発明はアンカの埋設方法に係り、特に、アスファルト等で舗装されている地面にその舗装面を保護しながらアンカを埋設できるようにしたものに関する。
【０００２】
【従来の技術】
本出願人は、配電線や電話線等の電柱、あるいは信号機のポール等の柱状物（以下、電柱で説明する。）の支線を支持するのに好適なアンカ（地中アンカ）を提案している。このアンカは、地中に埋設される鋳鉄製の軸棒（支持棒）の先端側に間欠的に螺旋状の掘削刃を一体的に設けて構成されている（特許文献１〜３参照。）。すなわち、この提案に係るアンカは、鋳鉄製の棒状の軸棒（支持棒）に所定の間隔を保って、かつ、先端側（地中に埋設される側）よりも上部ほど直径が大きくなる螺旋状の掘削刃を一体的に設けて構成されている。そして、このアンカは、電柱を立設するときの穴掘建柱車の回転部を用いて地中の任意の深さに簡単に埋設できる特長を有している。
【０００３】
【特許文献１】特開２０００−１８５０号公報
【特許文献２】特開２００１−５９２２１号公報
【特許文献３】特開２００１−１８２０５８号公報
【０００４】
【発明が解決しようとする課題】
ところで、アンカの埋設は、電柱を新たに設置されたときだけでなく、電柱に新たな電線、例えば配電線が張設されている電柱に新たに電話線が張設されるときにも、その電話線に対応した支線が必要になるときがある。このように、増設される支線用のアンカを埋設する場合、電柱が舗装されている地面に立設されているときは、舗装面を大きく取り払ってアンカの埋設工事を行う必要があり、さらに、その取り払った舗装面を再舗装の工事を必要とする欠点があった。
【０００５】
そこで、本発明は、上記欠点を解決するためになされたものであって、その目的は、アスファルト等で舗装されている地面であっても、その舗装面を保護しながら容易にアンカを埋設することのできるアンカの埋設方法を提供することにある。
【０００６】
【課題を解決するための手段】
本発明に係るアンカの埋設方法は、上記目的を達成するために、請求項１に記載の発明は、地表面がアスファルトやコンクリート、あるいはブロック等の舗装材で舗装されている地面に軸棒に螺旋状の掘削刃を有するアンカを埋設するときのアンカの埋設方法であって、先端部に超硬チップを有する工具を前記アンカの設置される舗装されている地面の所定箇所に押圧しながら回転させて所定深さの下穴をあけ、そのあけられた下穴に前記アンカを埋設することを特徴としている。
本発明の請求項２に記載のアンカの埋設方法は、下穴には、アンカを埋設する前に粒状の骨材が投入されることを特徴としている。
本発明の請求項３に記載のアンカの埋設方法は、粒状の骨材は、舗装材の層よりも下の位置まで投入することを特徴としている。
【０００７】
【発明の実施の形態】
以下、本発明の実施の形態を図面に基づいて説明する。図１は、地面（地中というときもある。）Ｇに立設されている電柱イに、実線で示される配電線Ｌ０  が既設線として張設されているとき、その電柱イに電話線Ｌが増設線として張設されたときに、その増設線Ｌに対応して本発明方法を適用したときの正面図である。
【０００８】
上記電柱イの立設されている地面Ｇの地表面は、所定の厚さ（例えば３〜４ｃｍ）のアスファルト層ｇ１  、及びその下に所定の厚さ（例えば５〜１０ｃｍ）の砂利の固結層ｇ２  が設けられて舗装が施されている。また、この電柱イには、既設線としての配電線Ｌ０  に対応した中間に玉ガイシ１′を有する支線１が設けられていて電柱イを支持している。図１中、２は、その支線１を地中Ｇ内で支持するアンカ（地中アンカ）である。
【０００９】
図１中、鎖線で示される支線１０は、途中に玉ガイシ１０′を有し、電話線Ｌが増設されたことに対応して設けられるものである。この支線１０の下部には、図示しない支線棒（後述する図２の支線棒１１参照）１１を介してアンカＡが設けられている。
【００１０】
以下、このアンカＡの埋設方法を図２（ａ）〜（ｃ）を用いて説明する。
【００１１】
図２（ａ）は、アンカＡを埋設する地面Ｇの位置に工具２０を用いて図２（ｂ）に示されるような所定の深さ、例えば１００ｃｍの深さで、所定の直径、例えば１２０φの下穴Ｈがあけられる。この下穴Ｈの掘削作業で用いられる工具２０は、通常、超硬ビットと呼ばれているもので、本出願人が特願２００２−１８４２０号で提案しているもので、鋼製の棒状体２０ａの先端及び上部のつば部下部に超硬チップ２０ｂ，２０ｃを有している。この工具２０には、パイプ状の補助工具（この補助工具については、本出願に係る特開２００１−２７１３４５号公報に詳述されている。）Ｍが工具２０の頂部に設けられている角柱部２０ｄに嵌められるように構成されている。そして、その工具２０は、補助工具Ｍが図示しない穴掘建柱車の回転部で押圧させながら回転させられると、地中Ｇ内に圧入され、所定深さの下穴Ｈが簡単に形成される（図２（ｂ）参照）。実際に、この工具２０であけられた下穴Ｈのアスファルト層ｇ１  の穴形は、完全な丸穴となり、その丸穴周囲のアスファルト層ｇ１  には何ら影響を与えることがなかった。
【００１２】
工具２０を用いてあけられた下穴Ｈには、所定量の骨材Ｃが投入され、その後、工具２０で破砕圧入される（図１（ｃ）参照）。ここで用いられる骨材Ｃとしては、粒径５０ｍｍ程度の礫、あるいは同程度に破砕されたコンクリート廃材でもよく、ある程度硬質のものであればその種類は問わない。また、アンカＡがアース装置の電極と兼用されるようなときは、その骨材としてコークスを用いることもできる。
【００１３】
下穴Ｈに投入される１回分の骨材Ｃの投入量は、下穴Ｈの表面（地面Ｇの地表面）よりも下となるように、少なくとも砂利からなる固結層ｇ２  の面よりも下の位置となるように投入される。この投入量が下穴Ｈの表面まで行われると、アンカＡの埋設のときに舗装面（アスファルト層ｇ１  ）が盛り上がって好ましくなく、また、少なすぎると下穴Ｈを埋める材料が多くなる欠点がある。
【００１４】
図２（ｃ）は、下穴Ｈに骨材Ｃが投入された後、アンカＡを埋設した状態を示している。このアンカＡは、鋳鉄製の軸棒ａ１  の先端側（図２（ｃ）において下部側）に間欠的に所定の間隔を保って螺旋状の掘削刃ａ２  ，ａ２  …を複数個（図示の例では４個）一体的に設けて構成されている。また、このアンカＡの先端（図２（ｃ）において下端部）は、硬質のドリルで形成され、また、掘削刃ａ２  ，ａ２  …も硬質で、かつ、その外周は尖鋭に形成されているので、アンカＡの埋設の際（アンカＡのねじ込みの際）、骨材Ｃを破砕し、その破片を下穴Ｈの壁面に圧入させ、アンカＡの耐張力、すなわち、支線の大きな張力に耐えるアンカとすることができる。そして、使用されるアンカＡの大きさは、上記工具２０によって決められる。例えば、工具２０であけられる下穴Ｈの穴径（直径）が１２０φのとき、アンカＡの最も大きな螺旋状の掘削刃ａ２  の直径（アンカ径）は１４０φとされる。下穴Ｈの穴径に対して１．１〜１．５倍のアンカ径とすると、アンカとしての耐張力を発揮しつつアスファルト層ｇ１  等の舗装面を保護しながらアンカを埋設することができる。
【００１５】
このアンカＡの埋設は、アンカＡの角柱部ａ３  に設けられているアイ部に支線棒１１を接続し、その支線棒１１をパイプ状の図示しない図２（ａ）にしめされると同様の補助工具の内部に収納しながらその補助工具を角柱部ａ３  に嵌め、その補助工具を図示しない穴掘建柱車の回転部で押圧させながら回転して行われる。そして、アンカＡが所定深さに埋設された後、補助工具が外されると、地上には支線棒１１の先端部が現れる。次いで、その支線棒１１の先端に設けられているリング部に図示しないシンブルを介して支線１０が取付けられる。支線棒１１の周囲にあいている地面Ｇの小さい穴は、アスファルトで埋め戻される。
【００１６】
なお、上述の例では、舗装面はアスファルト層ｇ１  としたが、コンクリートあるいはブロック等でもよいことはもちろんである。
【００１７】
【発明の効果】
本発明の請求項１に記載のアンカの埋設方法は、地表面がアスファルトやコンクリート、あるいはブロック等の舗装材で舗装されている地面に軸棒に螺旋状の掘削刃を有するアンカを埋設するときのアンカの埋設方法であって、先端部に超硬チップを有する工具を前記アンカの設置される舗装されている地面の所定箇所に押圧しながら回転させて所定深さの下穴をあけ、そのあけられた下穴に前記アンカを埋設するので、舗装されている地面であっても、その舗装面を保護しながら容易にアンカを埋設することができる。
本発明の請求項２に記載のアンカの埋設方法は、下穴には、アンカを埋設する前に粒状の骨材が投入されるので、耐張力の大きなアンカとすることができる。本発明の請求項３に記載のアンカの埋設方法は、粒状の骨材は、舗装材の層よりも下の位置まで投入するので、舗装面を保護しながらアンカを埋設することができる。
【図面の簡単な説明】
【図１】舗装されている地面に立設されている電柱に、電話線が増設線として張設されたときに、その増設線に対応して本発明方法を適用したときの正面図である。
【図２】（ａ）〜（ｅ）は、アンカを埋設するときの工程図である。
【符号の説明】
２０  工具（超硬ビット）
Ｈ  下穴
Ｇ  地面（地盤）
Ｃ  骨材
Ａ  アンカ
【図１】
2004183445.tif 000003
【図２】
2004183445.tif 000004